(57)【要約】【課題】通常のカメラによって撮像された画像から高精度に接触検出を行うことが可能な情報処理装置、情報処理方法及びプログラムを提供すること【解決手段】本技術に係る情報処理装置は、接触判定部を具備する。接触判定部は、対象物体と操作体を含む画像における色の変化に基づいて、対象物体に対する操作体の接触を判定する。【選択図】図１
2016017096.tif 000002
【特許請求の範囲】
【請求項１】
対象物体と操作体を含む画像における色の変化に基づいて、前記対象物体に対する前記操作体の接触を判定する接触判定部
を具備する情報処理装置。
【請求項２】
請求項１に記載の情報処理装置であって、
前記画像に含まれる操作体を認識する物体認識処理部をさらに具備し、
前記接触判定部は、前記操作体の色の変化に基づいて、前記対象物体に対する前記操作体の接触を判定する
情報処理装置。
【請求項３】
請求項２に記載の情報処理装置であって、
前記物体認識処理部は、物体検出辞書を利用して前記操作体を認識する
情報処理装置。
【請求項４】
請求項２に記載の情報処理装置であって、
前記物体認識処理部は、前記画像に進入した物体を操作体として認識する
情報処理装置。
【請求項５】
請求項１に記載の情報処理装置であって、
前記接触判定部は、所定の色の変化に基づいて、前記対象物体に対する前記操作体の接触を判定する
情報処理装置。
【請求項６】
請求項５に記載の情報処理装置であって、
前記所定の色は、指先の血色に相当する色である
情報処理装置。
【請求項７】
請求項１に記載の情報処理装置であって、
前記接触判定部は、前記操作体の色の変化に基づいて、前記対象物体に対する前記操作体の接触を判定する
情報処理装置。
【請求項８】
請求項１に記載の情報処理装置であって、
前記接触判定部は、前記対象物体の色の変化に基づいて、前記対象物体に対する前記操作体の接触を判定する
情報処理装置。
【請求項９】
請求項１に記載の情報処理装置であって、
前記接触判定部は、前記操作体の影による前記対象物体の色の変化に基づいて、前記対象物体に対する前記操作体の接触を判定する
情報処理装置。
【請求項１０】
請求項１に記載の情報処理装置であって、
前記接触判定部は、さらに、前記画像における色の変化に基づいて、前記対象物体に対する前記操作体の接触の強さを判定する
情報処理装置。
【請求項１１】
請求項１に記載の情報処理装置であって、
前記接触判定部は、さらに、前記画像における色の変化に基づいて、前記対象物体に対する前記操作体の接触の方向を判定する
情報処理装置。
【請求項１２】
請求項１に記載の情報処理装置であって、
前記接触判定部の判定結果に基づいて、操作入力を制御する入力制御部
をさらに具備する情報処理装置。
【請求項１３】
請求項１２に記載の情報処理装置であって、
前記対象物体に重畳される操作対象画像を生成する画像出力部
をさらに具備し、
前記入力制御部は、前記操作対象画像における前記操作体と前記操作対象物体の接触位置に基づいて操作入力を制御する
情報処理装置。
【請求項１４】
請求項１２に記載の情報処理装置であって、
前記画像に含まれる操作体を認識する物体認識処理部をさらに具備し、
前記入力制御部は、前記物体認識処理部によって認識された操作体の形状と、前記接触判定部の判定結果に基づいて、操作入力を制御する
情報処理装置。
【請求項１５】
請求項１に記載の情報処理装置であって、
前記画像に含まれる対象物体を認識する物体認識処理部をさらに具備し、
前記接触判定部は、前記対象物体が剛体である場合には前記画像における色の変化に基づいて前記対象物体に対する前記操作体の接触を判定し、前記対象物体が剛体ではない場合には法線方向検出センサによって取得された前記対象物体の表面に対する法線の方向に基づいて前記対象物体に対する前記操作体の接触を判定する
情報処理装置。
【請求項１６】
請求項１に記載の情報処理装置であって、
前記接触判定部は、デプスセンサによって取得された前記対象物体と前記操作体の距離が所定値以下の場合に、前記画像における色の変化に基づいて前記対象物体に対する前記操作体の接触を判定する
情報処理装置。
【請求項１７】
対象物体と操作体を含む画像における色の変化に基づいて、前記対象物体に対する前記操作体の接触を判定する接触判定部
として情報処理装置を動作させるプログラム。
【請求項１８】
接触判定部が、対象物体と操作体を含む画像における色の変化に基づいて、前記対象物体に対する前記操作体の接触を判定する
情報処理方法。
【発明の詳細な説明】
【技術分野】
【０００１】
本技術は、接触検出が可能な情報処理装置、情報処理方法及びプログラムに関する。
【背景技術】
【０００２】
近年、情報処理機器の利用形態の多様化に伴い、新たなＵＩ（ユーザーインターフェース）が検討されている。例えば、ヘッドマウントディスプレイにアイコンを表示して対象物体（手のひらや机等）に投影し、操作体（指やスタイラス等）で投影されたアイコンにタッチすると、アイコンの選択が入力される技術が開発されている。【０００３】
対象物体に対する操作体の接触は、ステレオカメラや３Ｄセンサ等が用いられる。ＵＩは、対象物体と操作体を認識し、ステレオカメラや３Ｄセンサ等から取得した三次元情報に基づいて操作体の位置と対象物体の平面形状を検出する。ＵＩは対象物体と操作体の距離が一定値以下になると、接触と判定することができる。
【先行技術文献】
【特許文献】
【０００４】
【特許文献１】特開２０１１−７０４９１号公報
【発明の概要】
【発明が解決しようとする課題】
【０００５】
しかしながら、上記のような手法では、接触検出のためにステレオカメラや３Ｄセンサ等の検出手段が必要であり、デバイスの大型化や電力消費の増加、コストの増加といった問題がある。また、ステレオカメラや３Ｄセンサの特性上、太陽光下では利用が困難である。さらに、操作体が対象物体に接近し、接触していない場合も接触と判定され、ユーザの意図しない入力がなされてしまうおそれがある。【０００６】
以上のような事情に鑑み、本技術の目的は、通常のカメラによって撮像された画像から高精度に接触検出を行うことが可能な情報処理装置、情報処理方法及びプログラムを提供することにある。
【課題を解決するための手段】
【０００７】
上記目的を達成するため、本技術の一形態に係る情報処理装置は、接触判定部を具備する。
上記接触判定部は、対象物体と操作体を含む画像における色の変化に基づいて、上記対象物体に対する上記操作体の接触を判定する。【０００８】
この構成によれば、対象物体と操作体の接触の検出に色の変化を利用するため、一般的なカメラによって撮像された画像から接触検出を行うことが可能である。なお、色は画素値と同義であり、明るさを含む。【０００９】
上記情報処理装置は、
上記画像に含まれる操作体を認識する物体認識処理部をさらに具備し、
上記接触判定部は、上記操作体の色の変化に基づいて、上記対象物体に対する上記操作体の接触を判定してもよい。【００１０】
この構成によれば、物体認識処理部によって操作体（例えば指やスタイラス）が認識されるため、接触判定部は認識された操作体の色の変化を利用して、接触を検出することが可能である。【００１１】
上記物体認識処理部は、物体検出辞書を利用して上記操作体を認識してもよい。【００１２】
物体認識処理部は、操作体となり得る物体の情報が格納された物体検出辞書と画像を照合することにより、操作体を認識することが可能である。【００１３】
上記物体認識処理部は、上記画像に進入した物体を操作体として認識してもよい。【００１４】
物体認識処理部は、画像内（カメラの撮像範囲）に新たに物体が進入した場合に、当該物体を操作体として認識することが可能である。【００１５】
上記接触判定部は、所定の色の変化に基づいて、上記対象物体に対する上記操作体の接触を判定してもよい。【００１６】
操作体となり得る物体（指やスタイラス）の色を予め設定しておくことにより、操作体の物体認識がなされなくても、接触判定部は当該色の変化を利用して接触を検出することが可能である。【００１７】
上記所定の色は、指先の血色に相当する色であってもよい。【００１８】
指先の血色は、指がなんらかの物体に接触すると変化する。このため、接触判定部は指先の血色に相当する色の変化を利用することにより、操作体が指である場合に対象物体への接触を判定することが可能である。【００１９】
上記接触判定部は、上記操作体の色の変化に基づいて、上記対象物体に対する上記操作体の接触を判定してもよい。【００２０】
上記の指先の血色のように、なんらかの物体に接触すると色（明るさを含む）が変わる物体が操作体である場合において、接触判定部は操作体の色の変化に基づいて接触を判定することが可能である。【００２１】
上記接触判定部は、上記対象物体の色の変化に基づいて、上記対象物体に対する上記操作体の接触を判定してもよい。【００２２】
対象物体が、操作体の接触によって色が変わる物体である場合には、接触判定部は、対象物体の色の変化を利用して接触を判定してもよい。【００２３】
上記接触判定部は、上記操作体の影による上記対象物体の色の変化に基づいて、上記対象物体に対する上記操作体の接触を判定してもよい。【００２４】
接触判定部は、操作体の影による対象物体の色の変化を利用して接触を判定してもよい。例えば操作体が対象物体に接近すると影が濃くなるため、それを利用して接触を判定することが可能である。【００２５】
上記接触判定部は、さらに、上記画像における色の変化に基づいて、上記対象物体に対する上記操作体の接触の強さを判定してもよい。【００２６】
接触の強さによって操作体の色の変化が異なる場合、接触判定部は、色の変化を利用して、接触の強さ（押圧力）を判定することが可能である。【００２７】
上記接触判定部は、さらに、上記画像における色の変化に基づいて、上記対象物体に対する上記操作体の接触の方向を判定してもよい。【００２８】
接触の方向によって操作体の色の変化が異なる場合、接触判定部は、色の変化を利用して、接触の方向（押圧方向）を判定することが可能である。【００２９】
上記情報処理装置は、上記接触判定部の判定結果に基づいて、操作入力を制御する入力制御部をさらに具備してもよい。【００３０】
入力制御部は、接触判定部によって操作体と対象物体の接触が判定されると、接触位置や接触の数に応じて操作入力として受け付け、ＯＳ等に供給するものとすることが可能である。【００３１】
上記情報処理装置は、上記対象物体に重畳される操作対象画像を生成する画像出力部
をさらに具備し、
上記入力制御部は、上記操作対象画像における上記操作体と上記操作対象物体の接触位置に基づいて操作入力を制御してもよい。【００３２】
画像出力部はＨＭＤ（Head Mounted Display）やプロジェクタ等に表示され、対象物体に重畳される操作対象画像を生成する。入力制御部は、操作対象画像における接触位置と、対象物体に対する操作対象画像の重畳位置に基づいて、操作対象画像と接触位置の位置関係を算出し、接触位置に重畳された操作対象画像の内容（アイコン等）に応じた操作入力を受け付けるものとすることができる。【００３３】
上記画像に含まれる操作体を認識する物体認識処理部をさらに具備し、
上記入力制御部は、上記物体認識処理部によって認識された操作体の形状と、上記接触判定部の判定結果に基づいて、操作入力を制御してもよい。【００３４】
物体認識処理部が操作体の形状（例えばピンチ操作の際の指の形状）を認識し、入力制御部に供給することにより、入力制御部は、操作体の形状に応じた操作入力を受け付けるものとすることができる。【００３５】
上記画像に含まれる対象物体を認識する物体認識処理部をさらに具備し、
上記接触判定部は、上記対象物体が剛体である場合には上記画像における色の変化に基づいて上記対象物体に対する上記操作体の接触を判定し、上記対象物体が剛体ではない場合には法線方向検出センサによって取得された上記対象物体の表面に対する法線の方向に基づいて上記対象物体に対する上記操作体の接触を判定してもよい。【００３６】
物体表面における法線方向（物体表面に対して垂直な方向）は法線方向検出センサによって検出することが可能であり、接触による対象物体の変形を利用して接触を判定することが可能であるが、対象物体が剛体（変形を生じない物体）である場合には利用することができない。一方、画像の色の変化を利用して接触を判定することは対象物体が剛体であっても可能である。【００３７】
上記接触判定部は、デプスセンサによって取得された上記対象物体と上記操作体の距離が所定値以下の場合に、上記画像における色の変化に基づいて上記対象物体に対する上記操作体の接触を判定してもよい。【００３８】
デプスセンサは赤外線の投影パターン等を利用してセンサと物体の距離を測定することが可能である。接触判定部が対象物体と操作体の距離が所定値以下の場合に、画像における色の変化に基づいて接触を判定することにより、接触の可能性が高い場合にのみ、接触の判定を行うことが可能である。【００３９】
上記目的を達成するため、本技術の一形態に係るプログラムは、対象物体と操作体を含む画像における色の変化に基づいて、上記対象物体に対する上記操作体の接触を判定する接触判定部として情報処理装置を動作させる。【００４０】
上記目的を達成するため、本技術の一形態に係る情報処理方法は、接触判定部が、対象物体と操作体を含む画像における色の変化に基づいて、上記対象物体に対する上記操作体の接触を判定する。
【発明の効果】
【００４１】
以上のように、本技術によれば、一般的なカメラによって撮像された画像から高精度に接触検出を行うことが可能な情報処理装置、情報処理方法及びプログラムを提供することにある。なお、ここに記載された効果は必ずしも限定されるものではなく、本開示中に記載されたいずれかの効果であってもよい。
【図面の簡単な説明】
【００４２】
【図１】本技術の第１の実施形態に係る情報処理装置の構成を示す模式図である。
【図２】対象物体に重畳された、同情報処理装置の画像出力部によって生成された操作用画像を示す模式図である。
【図３】対象物体に重畳された、同情報処理装置の画像出力部によって生成された操作用画像を示す模式図である。
【図４】対象物体に重畳された、同情報処理装置の画像出力部によって生成された操作用画像を示す模式図である。
【図５】同情報処理装置のハードウェア構成を示す模式図である。
【図６】同情報処理装置の動作を示すフローチャートである。
【図７】接触による操作体の色の変化の態様を示す模式図である。
【図８】同情報処理装置の動作を示すフローチャートである。
【図９】同情報処理装置の動作を示すフローチャートである。
【図１０】同情報処理装置の動作を示すフローチャートである。
【図１１】接触の強さによる、操作体の色の変化の態様を示す模式図である。
【図１２】接触の方向による、操作体の色の変化の態様を示す模式図である。
【図１３】操作体の形状を示す模式図である。
【図１４】操作体による操作入力の態様を示す模式図である。
【図１５】本技術の第２の実施形態に係る情報処理装置の構成を示す模式図である。
【図１６】同情報処理装置の動作を示すフローチャートである。
【発明を実施するための形態】
【００４３】
［第１の実施形態］
本技術の第１の実施形態に係る情報処理装置について説明する。
【００４４】
（情報処理装置の構成）
図１は、本技術の第１の実施形態に係る情報処理装置１００の機能的構成を示す模式図である。同図に示すように、情報処理装置１００は、音声入力部１０１、音声認識処理部１０２、画像入力部１０３、物体認識処理部１０４、接触判定部１０５、入力制御部１０６及び画像出力部１０７を備える。
【００４５】
同図に示すように、情報処理装置１００は、アイウェア１０に接続されているものとすることができる。また、情報処理装置１００は、アイウェア１０に搭載されていてもよい。アイウェア１０は、ディスプレイ１１、カメラ１２及び図示しないマイクロフォンを備える。ディスプレイ１１は透過型のＨＭＤ（Head Mounted Display）とすることができ、カメラ１２は一般的な画像（動画）撮像用のカメラとすることができる。
【００４６】
音声入力部１０１はアイウェア１０のマイクロフォンに接続され、マイクロフォンによって集音された音声の音声信号が入力される。音声入力部１０１は、取得した音声信号を音声認識処理部１０２に出力する。
【００４７】
音声認識処理部１０２は、音声入力部１０１から供給された音声信号に対して音声認識処理を施し、ユーザによる操作音声を認識する。音声認識処理部１０２は、操作音声が認識されれば、認識結果を入力制御部１０６に供給する。
【００４８】
画像入力部１０３はカメラ１２に接続され、カメラ１２によって撮像された画像（動画）が入力される。画像入力部１０３は、取得した画像（以下、取得画像）を物体認識処理部１０４に供給する。
【００４９】
物体認識処理部１０４は、画像入力部１０３から供給された取得画像と、物体検出辞書Ｄに格納されている情報を照合し、物体を認識する。物体認識処理部１０４は、後述する操作体や対象物体等の物体を認識するものとすることができる。物体認識処理部１０４は取得画像及び物体認識結果を接触判定部１０５に供給する。物体検出辞書Ｄは情報処理装置１００に格納されていてもよく、物体認識処理部１０４がネットワーク等から取得してもよい。
【００５０】
接触判定部１０５は、物体認識処理部１０４から供給された取得画像に対して、物体認識結果及び接触判定閾値Ｔを利用して、接触判定を行う。この処理の詳細については後述する。接触判定部１０５は、判定結果を入力制御部１０６に供給する。接触判定閾値Ｔは、情報処理装置１００に格納されていてもよく、接触判定部１０５がネットワーク等から取得してもよい。
【００５１】
入力制御部１０６は、音声認識処理部１０２による認識結果又は接触判定部１０５による判定結果に基づいて、ユーザによる操作入力を制御する。具体的には入力制御部１０６は、対象物体に対する操作体の接触位置や押圧力、押圧方向、接触後の操作体の移動等からタッチやマルチタッチ、ドラッグ、ピンチ等の操作入力として受け付ける。入力制御部１０６は、受け付けた操作入力を情報処理装置１００のＯＳ等に供給する。
【００５２】
画像出力部１０７は、ディスプレイ１１に表示される画像（動画）を生成する。画像出力部１０７は、アイコンや操作ボタンを含む操作用画像を生成するものとすることができる。上記のようにディスプレイ１１は透過型のＨＭＤであり、ユーザはディスプレイ１１に表示された映像と現実の物体が重畳された視界を視認する。
【００５３】
図２に、ディスプレイ１１を介したユーザの視界を模式的に示す。ユーザの視界には、ユーザの手のひらＨとユーザの指Ｙ、ディスプレイ１１に表示された操作用画像Ｇが含まれている。操作用画像ＧにはアイコンＰが含まれている。ユーザが、指Ｙによって手のひらＨのアイコンＰが重畳されている箇所をタッチすると、情報処理装置１００によってアイコンＰの選択が受け付けられる。
【００５４】
操作用画像Ｇが重畳されるのは手のひらに限られない。図３は、操作用画像Ｇが雑誌Ｚに重畳されている様子を示す模式図である。同図に示すように、ユーザが指Ｙによって雑誌Ｚ上のアイコンＰが重畳されている箇所をタッチすると、情報処理装置１００によってアイコンＰの選択が受け付けられる。また、ユーザは、スタイラス等の指以外のものによってアイコンＰを指示することも可能である。以下、操作用画像Ｇが投影され、ユーザによって指示される物体（手のひらＨや雑誌Ｚ等）を対象物体とし、対象物体に接触し、アイコンＰを指示する物体（指Ｙやスタイラス）を操作体とする。即ち、情報処理装置１００は、対象物体に対する操作体の接触を検出し、その接触に応じて操作入力を受け付ける。
【００５５】
アイウェア１０の構成は上記のものに限られない。図４は、カメラ１２がアイウェア１０とは独立して設けられている状態を示す。操作用画像Ｇはディスプレイ１１に表示され、雑誌Ｚに重畳されている。カメラ１２は、アイウェア１０とは別の位置（例えば雑誌Ｚの上方）に設けられ、画像入力部１０３に接続されている。
【００５６】
また、情報処理装置１００はアイウェア１０とは異なる画像投影装置に接続されていてもよい。例えば、机上や壁面に映像を投影することが可能であり、かつ投影面を撮像することが可能なカメラを備えるプロジェクタに接続されていてもよい。この場合、画像出力部１０７は、プロジェクタの画像投影機構に接続され、対象物体（机や壁）に映像を投影する。画像入力部１０３はカメラに接続され、対象物体及び投影画像を含む画像を取得する。この他にも情報処理装置１００は、対象物体に映像を表示又は投影することが可能であって、対象物体を撮像することが可能なカメラを備える装置に接続されるものとすることが可能である。
【００５７】
上述のような情報処理装置１００の機能的構成はアイウェアやプロジェクタ等の画像投影装置に接続又は内蔵されていてもよく、画像投影装置とは別のＰＣやスマートフォン等に搭載されていてもよい。また機能的構成の一部又は全部は、ネットワーク上に構成されていてもよい。
【００５８】
図５は、情報処理装置１００のハードウェア構成を示す模式図である。上述した情報処理装置１００の構成は、図５に示すハードウェア構成とプログラムの共働によって実現される機能的構成である。
【００５９】
図５に示すように、情報処理装置１００はハードウェア構成として、ＣＰＵ１２１、メモリ１２２、ストレージ１２３及び入出力ＩＦ１２４を有する。これらはバス１２５によって互いに接続されている。
【００６０】
ＣＰＵ（Central Processing Unit）１２１は、メモリ１２２に格納されたプログラムに従って他の構成を制御すると共に、プログラムに従ってデータ処理を行い、処理結果をメモリ１２２に格納する。ＣＰＵ１２１はマイクロプロセッサであるものとすることができる。
【００６１】
メモリ１２２はＣＰＵ１２１によって実行されるプログラム及びデータを格納する。メモリ１２２はＲＡＭ（Random Access Memory）であるものとすることができる。
【００６２】
ストレージ１２３は、プログラムやデータを格納する。ストレージ１２３はＨＤＤ（Hard disk drive）やＳＳＤ（solid state drive）であるものとすることができる。ストレージ１２３は、上述した物体検出辞書Ｄや接触判定閾値Ｔを記憶する。
【００６３】
入出力ＩＦ（インターフェース）１２４は情報処理装置１００に対する入力を受け付け、また情報処理装置１００の出力をディスプレイ１１等に供給する。入出力ＩＦ１２４は、マウスやタッチパネル等の入力機器やディスプレイ１１等の出力機器、ネットワーク等の接続インターフェースを含む。上述のように情報処理装置１００は、画像入力部１０３が取得した画像に基づいてユーザの操作入力を受け付けることが可能であり、この場合入出力ＩＦ１２４を介することなく、入力が受け付けられる。画像出力部１０７によって生成された画像は、入出力ＩＦ１２４を解してディスプレイ１１に出力され、表示される。
【００６４】
情報処理装置１００のハードウェア構成はここに示すものに限られず、上記情報処理装置１００の機能的構成を実現できるものであればよい。
【００６５】
（情報処理装置の接触判定動作）
情報処理装置１００の動作について説明する。図６は情報処理装置１００の動作を示すフローチャートである。上記のようにカメラ１２によって画像が撮像され、画像入力部１０３は画像（取得画像）を取得する。画像入力部１０３は取得画像を物体認識処理部１０４に供給する。
【００６６】
物体認識処理部１０４は、対象物体を認識する（Ｓｔ１０１）。物体認識処理部１０４は、画像入力部１０３から取得した取得画像と物体検出辞書Ｄを照合することによって対象物体を認識する。これにより、例えば取得画像に手のひらや雑誌等が含まれていれば、対象物体として認識される。
【００６７】
取得画像において対象物体が検出された場合（Ｓｔ１０２：Ｙｅｓ）、画像出力部１０７は、操作用画像Ｇ（図２参照）をディスプレイ１１に供給し、表示させる（Ｓｔ１０３）。取得画像において対象物体が検出されない場合（Ｓｔ１０２：Ｎｏ）、物体認識処理部１０４による対象物体の認識（Ｓｔ１０１）が再び実行される。
【００６８】
続いて、物体認識処理部１０４は、操作体を認識する（Ｓｔ１０４）。物体認識処理部１０４は、取得画像と物体検出辞書Ｄを照合することによって操作体を認識する。これにより、例えば取得画像に指やスタイラス等が含まれていれば、操作体として認識される。なお、物体認識処理部１０４は、複数の操作体を認識してもよい。
【００６９】
取得画像において操作体が検出された場合（Ｓｔ１０５：Ｙｅｓ）、接触判定部１０５は、操作体の色の変化を算出する（Ｓｔ１０６）。色は画素値（ＲＧＢ値）を意味し、明るさ（色の明暗）を含む。接触判定部１０５は操作体の色の、撮像時刻の経過に伴う変化を捉える。取得画像において操作体が検出されない場合（Ｓｔ１０５：Ｎｏ）、物体認識処理部１０４による対象物体の認識（Ｓｔ１０１）が再び実行される。
【００７０】
図７は、操作体として指Ｙが認識された場合の例である。接触判定部１０５は、指Ｙの指先（爪の内側）の血色を変化を算出するものとすることができる。図７（ａ）は指Ｙが対象物体に接触していない状態を表し、図７（ｂ）は指Ｙが対象物体に接触している状態を表す。これらの図において灰色の領域は、指先の血色を表す。指Ｙが対象物体に接触すると、図７（ａ）から図７（ｂ）のように指先の血色が変化する。
【００７１】
接触判定部１０５は、操作体の色の変化と接触判定閾値Ｔとを比較し、色の変化が、接触判定閾値Ｔに定められている所定のパターンの変化となった場合（Ｓｔ１０７：Ｙｅｓ）、操作体が対象物体に接触したと判定する（Ｓｔ１０８）。例えば、接触判定部１０５は、図７（ａ）に示す指先の血色が図７（ｂ）に示すように変化した場合、指Ｙが対象物体に接触したと判定することができる。接触判定部１０５は、物体認識処理部１０４によって複数の操作体が認識されている場合には操作体毎に、接触の判定を行うことができる。
【００７２】
接触判定部１０５が判定に利用する色の変化のパターン（接触判定閾値Ｔ）は、何らかのルール（例えば図７のように爪先の血色が薄くなったら接触と判定する等）に従って定められてもよく、多数の被験者について接触判定を繰り返す機械学習によって定められてもよい。また、接触判定部１０５は、情報処理装置１００を使用中のユーザの指先の血色の傾向を蓄積し、接触判定閾値Ｔのキャリブレーションを実行してもよい。
【００７３】
対象物体の色の変化が、所定のパターンの変化とならない場合（Ｓｔ１０７：Ｎｏ）、物体認識処理部１０４による対象物体の認識（Ｓｔ１０１）が再び実行される。
【００７４】
接触判定部１０５は、操作体による対象物体への接触を判定した場合、取得画像に対する接触位置を入力制御部１０６に供給する。入力制御部１０６は、操作用画像Ｇに表示されたアイコンＰの位置と、接触判定部１０５から供給された接触位置に基づいて、操作入力を制御する。入力制御部１０６は、例えば、接触位置に重畳されているアイコンＰが選択されたものとすることができる。
【００７５】
情報処理装置１００は以上のような動作を行う。上記のように、情報処理装置１００は通常のカメラによって撮像された画像を利用して接触判定を行う。即ち、３Ｄセンサやステレオカメラ等の接触判定手段が不要であり、デバイスの小型化、低コスト化が可能である。また、対象物体の色の変化は、操作体が対象物体に接触していなければ発生せず、即ち、情報処理装置１００は、操作体が対象物体に確実に接触している場合のみ接触判定を実行するため、高精度に操作入力を受け付けるものとすることができる。
【００７６】
なお、上記説明では、指が操作体である場合について説明したが、操作体は指に限られない。例えば、スタイラスが操作体である場合には、対象物体への接触によるスタイラスの変形に伴う色の変化を利用して接触を判定してもよい。また、何かに接触すると色が変わる、あるいは光を発するようなスタイラスを操作体としてもよい。
【００７７】
また、上記説明では、接触判定部１０５は操作体の色の変化を利用して接触を判定するものとしたが、これに限られず、対象物体の色の変化を利用して接触を判定してもよい。例えば、対象物体が手のひらである場合、操作体が接触すると手のひらの血色が変化するため、接触判定部１０５はそれを利用して接触を判定してもよい。また、液晶ディスプレイには、画像が表示されていないときに、液晶面に触れると色が変わるものがある。接触判定部１０５はこの液晶面の色の変化を利用して接触を判定してもよい。さらに、対象物体が柔らかいものである場合、操作体が接触すると変形（陥没）が生じる。接触判定部１０５はこの変形による色の変化を利用して接触を判定してもよい。
【００７８】
さらに、接触判定部１０５は、操作体の影を利用して接触を判定してもよい。操作体が対象物体にある程度接近すると、操作体の影が対象物体上に生じる。接触判定部１０５は、操作体の影による対象物体の色の変化から、影と操作体が接触したときに、操作体が対象物体に接触したものと判定することも可能である。
【００７９】
また、物体認識処理部１０４は、取得画像を物体検出辞書Ｄと照合し、物体（対象物体及び操作体）を認識するものとしたが、これに限られない。例えば、取得画像が一定時間にわたって一様であるときに、何らかの物体が取得画像（即ち、カメラの撮像範囲）中に進入した場合、当該物体が操作体であると認識してもよい。接触判定部１０５は、その物体の色の変化を利用して接触を判定することが可能である。
【００８０】
（法線方向の利用と組み合わせた情報処理装置の接触判定動作）
情報処理装置１００の別の動作について説明する。なお、情報処理装置１００と接続されるアイウェア１０（又は他の装置）のカメラ１２は偏光イメージングが可能なカメラであるものとする。偏光イメージングは、撮像範囲の輝度画像と、撮像範囲に含まれる法線（物体に表面に垂直な線）の方向を取得できる技術である。また、カメラ１２は偏光イメージとは異なる方法によって物体の法線方向を取得してもよく、アイウェア１０はカメラ１２とは別に法線方向の取得が可能なセンサを備えていてもよい。
【００８１】
図８は情報処理装置１００の別の動作を示すフローチャートである。上記のようにカメラ１２によって画像が撮像され、画像入力部１０３が画像（取得画像）を取得する。画像入力部１０３は取得画像を物体認識処理部１０４に供給する。
【００８２】
物体認識処理部１０４は、対象物体を認識する（Ｓｔ１１１）。物体認識処理部１０４は、画像入力部１０３から取得画像と物体検出辞書Ｄを照合することによって対象物体を認識する。これにより、例えば取得画像に手のひらや雑誌等が含まれていれば、対象物体として認識される。
【００８３】
取得画像において対象物体が検出された場合（Ｓｔ１１２：Ｙｅｓ）、画像出力部１０７は、操作用画像Ｇ（図２参照）をディスプレイ１１に供給し、表示させる（Ｓｔ１１３）。取得画像において対象物体が検出されない場合（Ｓｔ１１２：Ｎｏ）、物体認識処理部１０４による対象物体の認識（Ｓｔ１１１）が再び実行される。
【００８４】
続いて、物体認識処理部１０４は、操作体を認識する（Ｓｔ１１４）。物体認識処理部１０４は、取得画像と物体検出辞書を照合することによって操作体を認識する。これにより、例えば取得画像に指やスタイラス等が含まれていれば、操作体として認識される。なお、物体認識処理部１０４は、複数の操作体を認識してもよい。
【００８５】
続いて、物体認識処理部１０４は、対象物体が剛体であるか否かを判断する（Ｓｔ１１６）。「剛体」は、他の物体の接触によって変形が生じない物体を意味し、例えば机等である。手のひらや雑誌は剛体ではないと判断される。対象物体が剛体である場合（Ｓｔ１１６：Ｙｅｓ）、接触判定部１０５は、操作体の色の変化を算出する（Ｓｔ１１７）。
【００８６】
以下、接触判定部１０５は、上述のように、操作体の色の変化と接触判定閾値Ｔとを比較し、色の変化が、接触判定閾値Ｔに定められている所定のパターンの変化となった場合（Ｓｔ１１８：Ｙｅｓ）、操作体が対象物体に接触したと判定する（Ｓｔ１１９）。操作体の色の変化が、所定のパターンの変化とならない場合（Ｓｔ１１８：Ｎｏ）、物体認識処理部１０４による対象物体の認識（Ｓｔ１１１）が再び実行される。
【００８７】
物体認識処理部１０４が、対象物体が剛体ではないと判断した場合（Ｓｔ１１６：Ｎｏ）、接触判定部１０５は取得画像から、操作体周辺の対象物体表面の法線方向を算出する（Ｓｔ１２０）。上記のようにカメラ１２が偏光イメージング機能を有する場合、取得画像から対象物体の表面の法線方向が取得できる。また、物体認識処理部１０４は、カメラ１２とは別のセンサの出力から、対象物体の表面の法線方向を算出してもよい。
【００８８】
接触判定部１０５は、対象物体の表面の法線方向の変化に基づいて、対象物体に対する操作体の接触を判定する（Ｓｔ１２１）。対象物体が剛体ではない場合、対象物体の表面は操作体の接触によって窪み、対象物体の表面に対する法線は操作体に向かって傾斜する。このため、接触判定部１０５は、対象物体の表面における法線方向の変化に基づいて対象物体に対する操作体の接触を判定することが可能である。即ち、接触判定部１０５は、対象物体の表面における法線方向が操作体の方向に変化したら（Ｓｔ１２１：Ｙｅｓ）、操作体が対象物体に接触したと判定する（Ｓｔ１１９）。対象物体の表面における法線方向が操作体の方向に変化しなければ（Ｓｔ１２１：Ｎｏ）、物体認識処理部１０４による対象物体の認識（Ｓｔ１１１）が再び実行される。
【００８９】
接触判定部１０５は、操作体による対象物体への接触を判定した場合、取得画像に対する接触位置を入力制御部１０６に供給する。入力制御部１０６は、操作用画像Ｇに表示されたアイコンＰの位置と、接触判定部１０５から供給された接触位置に基づいて、操作入力を制御する。入力制御部１０６は、例えば、接触位置に重畳されているアイコンＰが選択されたものとすることができる。
【００９０】
情報処理装置１００は以上のような動作を行うことも可能である。対象物体が剛体であれば、対象物体に操作体が接触しても対象物体の表面が変形せず、法線方向を利用した接触の判定が不可能である。このため、情報処理装置１００は対象物体が剛体である場合には取得画像の色の変化を利用して接触を判定し、対象物体が剛体でなければ、法線方向を利用して接触を判定するものとすることができる。
【００９１】
（デプス情報の利用と組み合わせた情報処理装置の接触判定動作）
情報処理装置１００の別の動作について説明する。なお、情報処理装置１００と接続されるアイウェア１０（又は他の装置）には、デプス情報の取得が可能なデプスセンサが設けられている。デプス情報は、物体とデプスセンサの間の距離情報である。
【００９２】
図９は情報処理装置１００の別の動作を示すフローチャートである。上記のようにカメラ１２によって画像が撮像され、画像入力部１０３が画像（取得画像）を取得する。画像入力部１０３は取得画像を物体認識処理部１０４に供給する。
【００９３】
物体認識処理部１０４は、対象物体を認識する（Ｓｔ１３１）。物体認識処理部１０４は、画像入力部１０３から取得した取得画像と物体検出辞書Ｄを照合することによって対象物体を認識する。これにより、例えば取得画像に手のひらや雑誌等が含まれていれば、対象物体として認識される。
【００９４】
取得画像において対象物体が検出された場合（Ｓｔ１３２：Ｙｅｓ）、画像出力部１０７は、操作用画像Ｇ（図２参照）をディスプレイ１１に供給し、表示させる（Ｓｔ１３３）。取得画像において対象物体が検出されない場合（Ｓｔ１３２：Ｎｏ）、物体認識処理部１０４による対象物体の認識（Ｓｔ１３１）が再び実行される。
【００９５】
続いて、物体認識処理部１０４は、操作体を認識する（Ｓｔ１３４）。物体認識処理部１０４は、取得画像と物体検出辞書Ｄを照合することによって操作体を認識する。これにより、例えば取得画像に指やスタイラス等が含まれていれば、操作体として認識される。なお、物体認識処理部１０４は、複数の操作体を認識してもよい。
【００９６】
取得画像において操作体が検出された場合（Ｓｔ１３５：Ｙｅｓ）、接触判定部１０５は、デプス情報を利用して操作体と対象物体の間の距離を算出する（Ｓｔ１３６）。接触判定部１０５は上記のように、デプスセンサからデプス情報を取得することができる。取得画像において操作体が検出されない場合（Ｓｔ１３５：Ｎｏ）、物体認識処理部１０４による対象物体の認識（Ｓｔ１３１）が再び実行される。
【００９７】
接触判定部１０５は、操作体と対象物体の距離が予め設定された所定値以下となった場合（Ｓｔ１３７：Ｙｅｓ）、操作体の色の変化を算出する（Ｓｔ１３８）。操作体と対象物体の距離が所定値より大きい場合（Ｓｔ１３７：Ｎｏ）物体認識処理部１０４による対象物体の認識（Ｓｔ１３１）が再び実行される。
【００９８】
以下、接触判定部１０５は、上述のように、操作体の色の変化と接触判定閾値Ｔとを比較し、色の変化が、所接触判定閾値Ｔに定められている所定のパターンの変化となった場合（Ｓｔ１３９：Ｙｅｓ）、操作体が対象物体に接触したと判定する（Ｓｔ１４０）。操作体の色の変化が、所定のパターンの変化とならない場合（Ｓｔ１３９：Ｎｏ）、物体認識処理部１０４による対象物体の認識（Ｓｔ１３１）が繰り返される。
【００９９】
接触判定部１０５は、操作体による対象物体への接触を判定した場合、取得画像に対する接触位置を入力制御部１０６に供給する。入力制御部１０６は、操作用画像Ｇに表示されたアイコンＰの位置と、接触判定部１０５から供給された接触位置に基づいて、操作入力を制御する。入力制御部１０６は、例えば、接触位置に重畳されているアイコンＰが選択されたものとすることができる。
【０１００】
情報処理装置１００は以上のような動作を行うことも可能である。情報処理装置１００はデプス情報を利用することにより、操作体と対象物体の距離を取得することができ、操作体と対象物体の距離が十分小さくなり、接触の可能性が高い場合にのみ、取得画像の色の変化を利用して接触を判定することができる。
【０１０１】
（情報処理装置の接触及び操作の判定動作）
情報処理装置１００は、操作体と対象物体の接触のみならず、接触による操作の種別（ドラッグやピンチ等）を判定することも可能である。図１０は、情報処理装置１００の接触及び操作判定動作を示すフローチャートである。
【０１０２】
接触判定ステップ（Ｓｔ１５１）は、図６に示す接触判定動作と同一のフローである。また、同ステップ（Ｓｔ１５１）は、図８に示す法線方向の利用と組み合わせた接触判定動作と同一のフローであってもよく、図９に示すデプス情報の利用と組み合わせた接触反動動作と同一のフローであってもよい。
【０１０３】
接触判定部１０５は、接触判定ステップで接触と判定された場合（Ｓｔ１５２：Ｙｅｓ）、対象物体に対する操作体の接触（押圧）の強さ及び方向を判定する（Ｓｔ１５３）。接触判定ステップで接触と判定されない場合（Ｓｔ１５２：Ｎｏ）、接触判定ステップ（Ｓｔ１５１）が繰り返される。
【０１０４】
接触判定部１０５は、操作体の色の変化を利用して、対象物体に対する操作体の接触（押圧）の強さ及び方向を判定することができる。図１１は、対象物体に対する操作体（指）の接触の強さによる色の変化の態様を示す模式図である。同図に示すように、操作体が指Ｙである場合、図１１（ａ）に示す押圧力が小さい場合と、図１１（ｂ）に示す押圧力が大きい場合では、血色の変化の程度が異なる。接触判定部１０５は、この色の変化と、押圧力に応じた血色の変化のパターン（接触判定閾値Ｔ）とを比較することにより、対象物体に対する操作体の押圧の強さを判定することが可能である。なお、操作体は指Ｙに限られず、他の物体に対する押圧力の大きさに応じて色が変化するものであればよい。
【０１０５】
図１２は、対象物体に対する操作体（指）の接触の方向による色の変化の態様を示す模式図である。図１２（ａ）は押圧方向が対象物体に対して垂直である場合、図１２（ｂ）は押圧方向が右方向である場合、図１２（ｃ）は押圧方向が左方向である場合、図１２（ｄ）は押圧方向が上方向である場合、図１２（ｅ）は押圧方向が下方向である場合を示す。
【０１０６】
これらの図に示すように、押圧方向が異なる場合、血色の変化する位置が異なる。接触判定部１０５は、この色の変化と、押圧方向に応じた血色の変化のパターン（接触判定閾値Ｔ）とを比較することにより、対象物体に対する操作体の押圧方向を判定することが可能である。なお、操作体は指Ｙに限られず、他の物体に対する押圧方向に応じて色の変化が異なるものであればよい。
【０１０７】
接触判定部１０５は、取得画像に対する接触位置、操作体の対象物体に対する押圧力の大きさ及び押圧方向を入力制御部１０６に供給する。入力制御部１０６は、操作体と対象物体の接触位置が変化したか否かを判定する（Ｓｔ１５４）。接触位置が変化している場合（Ｓｔ１５４：Ｙｅｓ）、入力制御部１０６は操作体の数が２つであるか否かを判定する（Ｓｔ１５５）。接触位置が変化していない場合（Ｓｔ１５５：Ｎｏ）、接触判定ステップ（Ｓｔ１５１）が再び実行される。
【０１０８】
入力制御部１０６は、操作体の数が２つである場合（Ｓｔ１５５：Ｙｅｓ）、操作体による操作がピンチであると判定する。また、入力制御部１０６は、操作体の数が２つでない場合、操作体による操作がドラッグであると判定する。なお、入力制御部１０６は、操作体の数が２つである場合、接触箇所の移動方向がほぼ平行であれば、複数の操作体によるドラッグ（マルチタッチドラッグ）であると判定してもよい。また、入力制御部１０６は、操作体による操作がピンチである場合、接触箇所の移動方向に応じて操作がピンチイン又はピンチアウトであると判定してもよい。
【０１０９】
この際、入力制御部１０６は、物体認識処理部１０４による物体認識結果を利用して、操作の種別を判定してもよい。図１３は、操作体としての指の形状を示す模式図である。物体認識処理部１０４は、操作体の特定の形状（指の向き等）が予め物体認識辞書Ｄに登録されている場合には、その情報を入力制御部１０６に供給する。入力制御部１０６は、操作体の形状を操作の種別の判定に利用することができる。例えば図１３に示す例では、物体認識処理部１０４は手指の形状がピンチ操作の形状（親指と人差し指によるＵ字形状）であると認識することができ、入力制御部１０６は、手指の形状がピンチ操作の形状である場合に限り、操作がピンチ操作であると判定するものとすることも可能である。
【０１１０】
入力制御部１０６は、操作体による操作の種別に応じて操作入力を制御する。この際、入力制御部１０６は、操作体の対象物体に対する押圧力の大きさに応じてドラッグによる効果の程度（カーソルの移動速度やスクロール速度等）を変更してもよい。また、入力制御部１０６は、操作体と対象物体の接触位置が移動していない場合でも、操作体の対象物体に対する押圧力の方向に応じて操作入力の方向を制御してもよい。この場合、ユーザは操作体の接触位置を移動させることなく、ポインティングスティックを操作する感覚で、操作入力を行うことが可能となる。
【０１１１】
図１４は、情報処理装置１００の上記動作による音楽再生アプリケーションのＵＩの例である。同図に示すように、情報処理装置１００は、操作体による対象物体の押圧の方向や強度によって、再生音量や再生する楽曲の選択を行うこと可能とする。
【０１１２】
［第２の実施形態］
本技術の第２の実施形態に係る情報処理装置について説明する。
【０１１３】
（情報処理装置の構成）
図１５は、本技術の第２の実施形態に係る情報処理装置２００の機能的構成を示す模式図である。同図に示すように、情報処理装置２００は、音声入力部２０１、音声認識処理部２０２、画像入力部２０３、接触判定部２０４、入力制御部２０５、画像出力部２０６を備える。本実施形態に係る情報処理装置２００は、物体認識処理部を有しない。
【０１１４】
同図に示すように、情報処理装置２００は、アイウェア１０に接続されているものとすることができる。アイウェア１０の構成は第１の実施形態と同様であるので説明を省略する。
【０１１５】
音声入力部２０１はアイウェア１０のマイクロフォンに接続され、マイクロフォンによって集音された音声の音声信号が入力される。音声入力部２０１は、取得した音声信号を音声認識処理部２０２に出力する。
【０１１６】
音声認識処理部２０２は、音声入力部２０１から供給された音声信号に対して音声認識処理を施し、ユーザによる操作音声を認識する。音声認識処理部２０２は、操作音声が認識されれば、音声認識結果を入力制御部２０５に供給する。
【０１１７】
画像入力部２０３はカメラ１２に接続され、カメラ１２によって撮像された画像（動画）が入力される。画像入力部２０３は、取得した画像（以下、取得画像）を接触判定部２０４に供給する。
【０１１８】
接触判定部２０４は、画像入力部２０３から供給された取得画像に対して接触判定閾値Ｔを利用して接触判定を行う。この処理の詳細については後述する。接触判定部２０４は、判定結果を入力制御部２０５に供給する。接触判定閾値Ｔは、情報処理装置２００に格納されていてもよく、接触判定部２０４がネットワーク等から取得してもよい。
【０１１９】
入力制御部２０５は、音声認識処理部２０２による認識結果又は接触判定部２０４による判定結果に基づいて、ユーザによる操作入力を制御する。具体的には入力制御部２０５は、対象物体に対する操作体の接触位置や押圧力、押圧方向、接触後の操作体の移動等からタッチやマルチタッチ、ドラッグ、ピンチ等の操作入力として受け付ける。入力制御部２０５は、受け付けた操作入力を情報処理装置２００のＯＳ等に供給する。
【０１２０】
画像出力部２０６は、ディスプレイ１１に表示される画像（動画）を生成する。画像出力部２０６は、アイコンや操作ボタンを含む操作用画像を生成するものとすることができる。第１の実施形態と同様にユーザはディスプレイ１１に表示された映像と現実の物体が重畳された視界（図２及び図３参照）を視認する。
【０１２１】
情報処理装置２００はアイウェア１０の他にも、対象物体に映像を表示又は投影することが可能であって、対象物体を撮像することが可能なカメラを備える装置に接続されるものとすることが可能である。
【０１２２】
上述のような情報処理装置２００の機能的構成はアイウェアやプロジェクタ等の画像投影装置に接続又は内蔵されていてもよく、画像投影装置とは別のＰＣやスマートフォン等に搭載されていてもよい。また機能的構成の一部又は全部は、ネットワーク上に構成されていてもよい。
【０１２３】
上述した情報処理装置２００の機能的構成は、第１の実施形態に示したハードウェア構成によって実現することが可能である。
【０１２４】
（情報処理装置の接触判定動作）
情報処理装置２００の動作について説明する。図１６は情報処理装置２００の動作を示すフローチャートである。上記のようにカメラ１２によって画像が撮像され、画像入力部２０３が画像（取得画像）を取得する。画像入力部２０３は取得画像を接触判定部２０４に供給する。
【０１２５】
画像出力部２０６は、操作用画像Ｇ（図２参照）をディスプレイ１１に供給し、表示させる（Ｓｔ２０１）。第１の実施形態とは異なり、対象物体の認識処理は実行されないが、ユーザがディスプレイ１１を対象物体（机上や壁面等）に向けることにより、操作用画像Ｇを対象物体上に投影することが可能である。
【０１２６】
接触判定部２０４は、操作体の色の変化を算出する（Ｓｔ２０２）。ここで、接触判定部２０４は、予め定められた色（以下、判定対象色）の変化を算出するものとすることができる。判定対象色は、例えば指の血色に相当する色である。また、利用が想定されるスタイラスの色を判定対象色としてもよい。接触判定部２０４は、判定対象色を利用することにより、操作体の認識処理がなされなくても、変化を算出すべき色を特定することができる。なお、判定対象色はある程度の幅（画素値範囲）をもった色とすることができる。また、複数の色を判定対象色としてもよい。
【０１２７】
接触判定部２０４は、操作体の色（判定対象色）の変化と接触判定閾値Ｔとを比較し、色の変化が、所接触判定閾値Ｔに定められている所定のパターンの変化となった場合（Ｓｔ２０３：Ｙｅｓ）、操作体が対象物体に接触したと判定する（Ｓｔ２０４）。接触判定部２０４は、判定対象色の領域が複数存在する場合には複数の操作体が存在するとみなして、操作体毎に接触の判定を行うことができる。
【０１２８】
接触判定部２０４が判定に利用する色の変化のパターン（接触判定閾値Ｔ）は、何らかのルールに従って定められてもよく、多数の被験者について接触判定を繰り返す機械学習によって定められてもよい。また、接触判定部２０４は、情報処理装置２００を使用中のユーザの指先の血色の傾向を蓄積し、接触判定閾値Ｔのキャリブレーションを実行してもよい。
【０１２９】
対象物体の色の変化が、所定のパターンの変化とならない場合（Ｓｔ２０３：Ｎｏ）、操作体の色（判定対象色）の変化の算出（Ｓｔ２０２）が再び実行される。
【０１３０】
接触判定部２０４は、操作体による対象物体への接触を判定した場合、取得画像に対する接触位置を入力制御部２０５に供給する。入力制御部２０５は、接触判定部２０４から供給された接触判定結果に基づいて、操作入力を制御する。
【０１３１】
情報処理装置２００は以上のような動作を行う。上記のように、情報処理装置２００は通常のカメラによって撮像された画像を利用して接触判定を行う。即ち、３Ｄセンサやステレオカメラ等の接触判定手段が不要であり、デバイスの小型化、低コスト化が可能である。また、対象物体の色の変化は、操作体が対象物体に接触していなければ発生せず、即ち、情報処理装置２００は、操作体が対象物体に確実に接触している場合のみ接触判定を実行するため、高精度に操作入力を受け付けるものとすることができる。
【０１３２】
なお、上記説明では、指が操作体である場合について説明したが、操作体は指に限られない。例えば、スタイラスが操作体である場合には、対象物体への接触によるスタイラスの変形に伴う色の変化を利用して接触を判定してもよい。また、何かに接触すると色が変わる、あるいは光を発するようなスタイラスを操作体としてもよい。
【０１３３】
また、上記説明では、接触判定部２０４は操作体の色の変化を利用して接触を判定するものとしたが、これに限られず、対象物体の色の変化を利用して接触を判定してもよい。例えば、接触判定部２０４は手のひらの血色や液晶ディスプレイの色の変化を利用して接触を判定してもよい。さらに、接触判定部２０４は対象物体の変形による色の変化を利用して接触を判定してもよい。
【０１３４】
さらに、接触判定部２０４は、操作体の影の色を判定対象色として、その色の変化を利用して接触を判定してもよい。接触判定部２０４は例えば、周囲より暗い色（影）を判定対象色として、接触を判定することができる。
【０１３５】
情報処理装置２００は以上のような動作を行う。なお、情報処理装置２００は、第１の実施形態と同様に、色の変化とデプス情報を利用して接触を判定（図９参照）してもよい。また、情報処理装置２００は、接触の判定後、接触による操作の種別を判定（図１０参照）してもよい。
【０１３６】
なお、本技術は以下のような構成もとることができる。
【０１３７】
（１）
対象物体と操作体を含む画像における色の変化に基づいて、上記対象物体に対する上記操作体の接触を判定する接触判定部
を具備する情報処理装置。
【０１３８】
（２）
上記（１）に記載の情報処理装置であって、
上記画像に含まれる操作体を認識する物体認識処理部をさらに具備し、
上記接触判定部は、上記操作体の色の変化に基づいて、上記対象物体に対する上記操作体の接触を判定する
情報処理装置。
【０１３９】
（３）
上記（１）又は（２）に記載の情報処理装置であって、
上記物体認識処理部は、物体検出辞書を利用して上記操作体を認識する
情報処理装置。
【０１４０】
（４）
上記（１）から（３）のいずれか一つに記載の情報処理装置であって、
上記物体認識処理部は、上記画像に進入した物体を操作体として認識する
情報処理装置。
【０１４１】
（５）
上記（１）から（４）のいずれか一つに記載の情報処理装置であって、
上記接触判定部は、所定の色の変化に基づいて、上記対象物体に対する上記操作体の接触を判定する
情報処理装置。
【０１４２】
（６）
上記（１）から（５）のいずれか一つに記載の情報処理装置であって、
上記所定の色は、指先の血色に相当する色である
情報処理装置。
【０１４３】
（７）
上記（１）から（６）のいずれか一つに記載の情報処理装置であって、
上記接触判定部は、上記操作体の色の変化に基づいて、上記対象物体に対する上記操作体の接触を判定する
情報処理装置。
【０１４４】
（８）
上記（１）から（７）のいずれか一つに記載の情報処理装置であって、
上記接触判定部は、上記対象物体の色の変化に基づいて、上記対象物体に対する上記操作体の接触を判定する
情報処理装置。
【０１４５】
（９）
上記（１）から（８）のいずれか一つに記載の情報処理装置であって、
上記接触判定部は、上記操作体の影による上記対象物体の色の変化に基づいて、上記対象物体に対する上記操作体の接触を判定する
情報処理装置。
【０１４６】
（１０）
上記（１）から（９）のいずれか一つに記載の情報処理装置であって、
上記接触判定部は、さらに、上記画像における色の変化に基づいて、上記対象物体に対する上記操作体の接触の強さを判定する
情報処理装置。
【０１４７】
（１１）
上記（１）から（１０）のいずれか一つに記載の情報処理装置であって、
上記接触判定部は、さらに、上記画像における色の変化に基づいて、上記対象物体に対する上記操作体の接触の方向を判定する
情報処理装置。
【０１４８】
（１２）
上記（１）から（１１）のいずれか一つに記載の情報処理装置であって、
上記接触判定部の判定結果に基づいて、操作入力を制御する入力制御部
をさらに具備する情報処理装置。
【０１４９】
（１３）
上記（１）から（１２）のいずれか一つに記載の情報処理装置であって、
上記対象物体に重畳される操作対象画像を生成する画像出力部
をさらに具備し、
上記入力制御部は、上記操作対象画像における上記操作体と上記操作対象物体の接触位置に基づいて操作入力を制御する
情報処理装置。
【０１５０】
（１４）
上記（１）から（１３）のいずれか一つに記載の情報処理装置であって、
上記画像に含まれる操作体を認識する物体認識処理部をさらに具備し、
上記入力制御部は、上記物体認識処理部によって認識された操作体の形状と、上記接触判定部の判定結果に基づいて、操作入力を制御する
情報処理装置。
【０１５１】
（１５）
上記（１）から（１４）のいずれか一つに記載の情報処理装置であって、
上記画像に含まれる対象物体を認識する物体認識処理部をさらに具備し、
上記接触判定部は、上記対象物体が剛体である場合には上記画像における色の変化に基づいて上記対象物体に対する上記操作体の接触を判定し、上記対象物体が剛体ではない場合には法線方向検出センサによって取得された上記対象物体の表面に対する法線の方向に基づいて上記対象物体に対する上記操作体の接触を判定する
情報処理装置。
【０１５２】
（１６）
上記（１）から（１５）のいずれか一つに記載の情報処理装置であって、
上記接触判定部は、デプスセンサによって取得された上記対象物体と上記操作体の距離が所定値以下の場合に、上記画像における色の変化に基づいて上記対象物体に対する上記操作体の接触を判定する
情報処理装置。
【０１５３】
（１７）
対象物体と操作体を含む画像における色の変化に基づいて、上記対象物体に対する上記操作体の接触を判定する接触判定部
として情報処理装置を動作させるプログラム。
【０１５４】
（１８）
接触判定部が、対象物体と操作体を含む画像における色の変化に基づいて、上記対象物体に対する上記操作体の接触を判定する
情報処理方法。
【符号の説明】
【０１５５】
１００、２００…情報処理装置
１０１、２０１…音声入力部
１０２、２０２…音声認識処理部
１０３、２０３…画像入力部
１０４…物体認識処理部
１０５、２０４…接触判定部
１０６、２０５…入力制御部
１０７、２０６…画像出力部
【図１】
2016017096.tif 000003
【図２】
2016017096.tif 000004
【図３】
2016017096.tif 000005
【図４】
2016017096.tif 000006
【図５】
2016017096.tif 000007
【図６】
2016017096.tif 000008
【図７】
2016017096.tif 000009
【図８】
2016017096.tif 000010
【図９】
2016017096.tif 000011
【図１０】
2016017096.tif 000012
【図１１】
2016017096.tif 000013
【図１２】
2016017096.tif 000014
【図１３】
2016017096.tif 000015
【図１４】
2016017096.tif 000016
【図１５】
2016017096.tif 000017
【図１６】
2016017096.tif 000018
【国際調査報告】
2016017096.tif 000019
2016017096.tif 000020
2016017096.tif 000021
2016017096.tif 000022